【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
同一プリンタに対する論理通信ポートが複数存在するか否かを判別する判別手段と、
前記判別手段により同一プリンタに対する論理通信ポートが複数存在すると判別された場合、そのプリンタの無線ポートではなく有線ポートを選択する選択手段と、
前記選択手段による選択に基づきプリンタポートの一覧を作成する作成手段とを有することを特徴とする情報処理装置。
【請求項２】
前記判別手段は、同一ＭＡＣアドレスのポートがあるか判別することにより、同一プリンタに対する論理通信ポートが複数存在するか判別することを特徴とする請求項１記載の情報処理装置。
【請求項３】
前記プリンタポートの一覧の中から選択されたプリンタに無線の設定を行なう設定手段を有することを特徴とする請求項１記載の情報処理装置。
【請求項４】
同一プリンタに対する論理通信ポートが複数存在するか否かを判別する判別手段と、
前記判別手段により同一プリンタに対する論理通信ポートが複数存在すると判別された場合、そのプリンタの無線ポートではなく有線ポートを含むプリンタポートの一覧を表示する表示手段と、
前記プリンタポートの一覧の中から選択されたプリンタに無線の設定を行なう設定手段とを有することを特徴とする情報処理装置。
【請求項５】
前記判別手段は、同一ＭＡＣアドレスのポートがあるか判別することにより、同一プリンタに対する論理通信ポートが複数存在するか判別することを特徴とする請求項４記載の情報処理装置。
【請求項６】
同一プリンタに対する論理通信ポートが複数存在するか否かを判別する判別ステップと、
前記判別ステップにより同一プリンタに対する論理通信ポートが複数存在すると判別された場合、そのプリンタの無線ポートではなく有線ポートを選択する選択ステップと、
前記選択ステップによる選択に基づきプリンタポートの一覧を作成する作成ステップとを有することを特徴とする設定方法。
【請求項７】
前記判別ステップは、同一ＭＡＣアドレスのポートがあるか判別することにより、同一プリンタに対する論理通信ポートが複数存在するか判別することを特徴とする請求項６記載の設定方法。
【請求項８】
前記プリンタポートの一覧の中から選択されたプリンタに無線の設定を行なう設定ステップを有することを特徴とする請求項６記載の設定方法。
【請求項９】
同一プリンタに対する論理通信ポートが複数存在するか否かを判別する判別ステップと、
前記判別ステップにより同一プリンタに対する論理通信ポートが複数存在すると判別された場合、そのプリンタの無線ポートではなく有線ポートを含むプリンタポートの一覧を表示する表示ステップと、
前記プリンタポートの一覧の中から選択されたプリンタに無線の設定を行なう設定ステップとを有することを特徴とする設定方法。
【請求項１０】
前記判別ステップは、同一ＭＡＣアドレスのポートがあるか判別することにより、同一プリンタに対する論理通信ポートが複数存在するか判別することを特徴とする請求項９記載の設定方法。
【請求項１１】
同一プリンタに対する論理通信ポートが複数存在するか否かを判別する判別手順と、
前記判別手順により同一プリンタに対する論理通信ポートが複数存在すると判別された場合、そのプリンタの無線ポートではなく有線ポートを選択する選択手順と、
前記選択手順による選択に基づきプリンタポートの一覧を作成する作成手順とをコンピュータに実行させることを特徴とするプログラム。
【請求項１２】
前記判別手順は、同一ＭＡＣアドレスのポートがあるか判別することにより、同一プリンタに対する論理通信ポートが複数存在するか判別することを特徴とする請求項１１記載のプログラム。
【請求項１３】
前記プリンタポートの一覧の中から選択されたプリンタに無線の設定を行なう設定手順をコンピュータに実行させることを特徴とする請求項１１記載のプログラム。
【請求項１４】
同一プリンタに対する論理通信ポートが複数存在するか否かを判別する判別手順と、
前記判別手順により同一プリンタに対する論理通信ポートが複数存在すると判別された場合、そのプリンタの無線ポートではなく有線ポートを含むプリンタポートの一覧を表示する表示手順と、
前記プリンタポートの一覧の中から選択されたプリンタに無線の設定を行なう設定手順とをコンピュータに実行させることを特徴とするプログラム。
【請求項１５】
前記判別手順は、同一ＭＡＣアドレスのポートがあるか判別することにより、同一プリンタに対する論理通信ポートが複数存在するか判別することを特徴とする請求項１４記載のプログラム。
【手続補正２】
【補正対象書類名】明細書
【補正対象項目名】発明の名称
【補正方法】変更
【補正の内容】
【発明の名称】情報処理装置、プリンタの設定方法およびプログラム
【手続補正３】
【補正対象書類名】明細書
【補正対象項目名】０００１
【補正方法】変更
【補正の内容】
【０００１】
本発明は情報処理装置、プリンタの設定方法およびプログラムに関し、より詳細には、複数の通信インターフェースを装備し、かつそれぞれの通信インターフェースを介して相互に通信可能なデバイスおよびホスト機器間の通信選択方法に関する。
【手続補正４】
【補正対象書類名】明細書
【補正対象項目名】００１０
【補正方法】変更
【補正の内容】
【００１０】
本発明は、上述の課題の少なくともひとつを解決する手段を開示するものである。本発明の目的は、複数の論理通信ポートで通信が確立されているプリンタを設定する場合、特定種類のポート経由での設定を優先的に可能とし、設定動作が確認出来なくなるおそれを解消した情報処理装置、プリンタの設定方法およびプログラムを提供することにある。
【手続補正５】
【補正対象書類名】明細書
【補正対象項目名】００１１
【補正方法】変更
【補正の内容】
【００１１】
このような目的を達成するために、本発明の第１の態様によれば、本発明に係る情報処理装置は、同一プリンタに対する論理通信ポートが複数存在するか否かを判別する判別手段と、前記判別手段により同一プリンタに対する論理通信ポートが複数存在すると判別された場合、そのプリンタの無線ポートではなく有線ポートを選択する選択手段と、前記選択手段による選択に基づきプリンタポートの一覧を作成する作成手段とを有する。
【手続補正６】
【補正対象書類名】明細書
【補正対象項目名】００１２
【補正方法】変更
【補正の内容】
【００１２】
ここで、前記判別手段は、同一ＭＡＣアドレスのポートがあるか判別することにより、同一プリンタに対する論理通信ポートが複数存在するか判別してもよい。
【手続補正７】
【補正対象書類名】明細書
【補正対象項目名】００１３
【補正方法】変更
【補正の内容】
【００１３】
また、前記プリンタポートの一覧の中から選択されたプリンタに無線の設定を行なう設定手段を有してもよい。
【手続補正８】
【補正対象書類名】明細書
【補正対象項目名】００１４
【補正方法】変更
【補正の内容】
【００１４】
また、同一プリンタに対する論理通信ポートが複数存在するか否かを判別する判別手段と、前記判別手段により同一プリンタに対する論理通信ポートが複数存在すると判別された場合、そのプリンタの無線ポートではなく有線ポートを含むプリンタポートの一覧を表示する表示手段と、前記プリンタポートの一覧の中から選択されたプリンタに無線の設定を行なう設定手段とを有してもよい。
【手続補正９】
【補正対象書類名】明細書
【補正対象項目名】００１５
【補正方法】変更
【補正の内容】
【００１５】
また、前記判別手段は、同一ＭＡＣアドレスのポートがあるか判別することにより、同一プリンタに対する論理通信ポートが複数存在するか判別してもよい。
【手続補正１０】
【補正対象書類名】明細書
【補正対象項目名】００１６
【補正方法】変更
【補正の内容】
【００１６】
本発明の第２の態様によれば、本発明に係るプリンタの設定方法は、同一プリンタに対する論理通信ポートが複数存在するか否かを判別する判別ステップと、前記判別ステップにより同一プリンタに対する論理通信ポートが複数存在すると判別された場合、そのプリンタの無線ポートではなく有線ポートを選択する選択ステップと、前記選択ステップによる選択に基づきプリンタポートの一覧を作成する作成ステップとを有する。
【手続補正１１】
【補正対象書類名】明細書
【補正対象項目名】００１７
【補正方法】変更
【補正の内容】
【００１７】
ここで、前記判別ステップは、同一ＭＡＣアドレスのポートがあるか判別することにより、同一プリンタに対する論理通信ポートが複数存在するか判別してもよい。
【手続補正１２】
【補正対象書類名】明細書
【補正対象項目名】００１８
【補正方法】変更
【補正の内容】
【００１８】
また、前記プリンタポートの一覧の中から選択されたプリンタに無線の設定を行なう設定ステップを有してもよい。
【手続補正１３】
【補正対象書類名】明細書
【補正対象項目名】００１９
【補正方法】変更
【補正の内容】
【００１９】
本発明の第３の態様によれば、本発明に係るプリンタの設定方法は、同一プリンタに対する論理通信ポートが複数存在するか否かを判別する判別ステップと、前記判別ステップにより同一プリンタに対する論理通信ポートが複数存在すると判別された場合、そのプリンタの無線ポートではなく有線ポートを含むプリンタポートの一覧を表示する表示ステップと、前記プリンタポートの一覧の中から選択されたプリンタに無線の設定を行なう設定ステップとを有する。
【手続補正１４】
【補正対象書類名】明細書
【補正対象項目名】００２０
【補正方法】変更
【補正の内容】
【００２０】
ここで、前記判別ステップは、同一ＭＡＣアドレスのポートがあるか判別することにより、同一プリンタに対する論理通信ポートが複数存在するか判別してもよい。
本発明の第４の態様によれば、本発明に係るプログラムは、同一プリンタに対する論理通信ポートが複数存在するか否かを判別する判別手順と、前記判別手順により同一プリンタに対する論理通信ポートが複数存在すると判別された場合、そのプリンタの無線ポートではなく有線ポートを選択する選択手順と、前記選択手順による選択に基づきプリンタポートの一覧を作成する作成手順とをコンピュータに実行させる。
ここで、前記判別手順は、同一ＭＡＣアドレスのポートがあるか判別することにより、同一プリンタに対する論理通信ポートが複数存在するか判別する。
また、前記プリンタポートの一覧の中から選択されたプリンタに無線の設定を行なう設定手順をコンピュータに実行させてもよい。
本発明の第５の態様によれば、本発明に係るプリンタの設定方法は、同一プリンタに対する論理通信ポートが複数存在するか否かを判別する判別手順と、前記判別手順により同一プリンタに対する論理通信ポートが複数存在すると判別された場合、そのプリンタの無線ポートではなく有線ポートを含むプリンタポートの一覧を表示する表示手順と、前記プリンタポートの一覧の中から選択されたプリンタに無線の設定を行なう設定手順とをコンピュータに実行させる。
ここで、前記判別手順は、同一ＭＡＣアドレスのポートがあるか判別することにより、同一プリンタに対する論理通信ポートが複数存在するか判別してもよい。